(57)【要約】      （修正有）【課題】例えば極めて多種類の陳列形態を有し、パンフレット類の設置場所も限定されがちな書籍販売の業態に対応して効率的かつ良好な訴求力をもって効果的にパンフレット類を展示できる構成を低コストで提供する。【解決手段】プラスチック、紙その他の板材を折曲して前面枠体１１、抱持部２１、後面背板３１を一体に形成してなる販促用ディスプレー装置Ｍであって、前記前面枠体は被陳列物を抱持部へ設置するための開口部を具え、前記抱持部はその下端が前記前面枠体の下端に連続し上端は後面背板の上端近傍に係止されて両側は開口されている凹部により構成し、後面背板の上端は前面枠体の上端に連結されるように構成して、上記課題を解決する。【選択図】図３
0003164745.tif 000002
【実用新案登録請求の範囲】
【請求項１】
プラスチック、紙その他の板材を折曲して前面枠体、抱持部、後面背板を一体に形成してなる販促用ディスプレー装置。
【請求項２】
請求項１記載の販促用ディスプレー装置において、前記前面枠体は被陳列物を抱持部へ設置するための開口部を具え、前記抱持部はその下端が前記前面枠体の下端に連続し上端は後面背板の上端近傍に係止されて両側は開口されている凹部により構成し、後面背板の上端は前面枠体の上端に連結されていることを特徴とする販促用ディスプレー装置。
【請求項３】
請求項２記載の販促用ディスプレー装置において、前面枠体の開口部は上端部を前面枠体に接続したまま切り抜き形成され、この切り抜き部分により後面背板を構成するようにしたことを特徴とする販促用ディスプレー装置。
【請求項４】
請求項３記載の販促用ディスプレー装置において、前記切抜き部分は抱持部の上部に形成したスリットに挿入固定した構成を有することを特徴とする販促用ディスプレー装置。
【請求項５】
請求項１ないし４いずれか記載の販促用ディスプレー装置において、前面枠体および抱持部は横方向に一体に連結形成したことを特徴とする販促用ディスプレー装置。
【考案の詳細な説明】
【技術分野】
【０００１】
本願考案は、パンフレット、小冊子などを抱持して主として書籍類の販促用にあるいは書籍類の陳列に併せて使用する販促用ディスプレー装置に関するものである。
【背景技術】
【０００２】
従来、書店などでは、販促あるいは内容紹介のパンフレットやリーフレット類あるいは出版目録などの陳列場所に困り、例えば会計カウンターの机上など間に合わせのスペースに雑然と積み重ねておくことが通例であった。
このため、訴求力に欠けから顧客がパンフレット類を手にとることもまれで販促におけるパブリシティに欠けるところが大きかった。
【考案の開示】
【考案が解決しようとする課題】
【０００３】
上述のような背景において、パンフレットやリーフレット類などを顧客の目に付きやすい場所に、コンパクトかつ小奇麗にしかも手際よく陳列できるような器具・装置を低廉なコストで実現することが求められている。
【０００４】
本願考案に係る販促用ディスプレー装置は、例えば極めて多種類の陳列形態を有し、パンフレット類の設置場所も限定されがちな書籍販売の業態に対応して効率的かつ良好な訴求力をもって効果的にパンフレット類を展示できる構成を低コストで実現することを目的とするものである。
【課題を解決するための手段】
【０００５】
本願考案は、プラスチック、紙その他の板材を折曲して前面枠体、抱持部、後面背板を一体に形成してなる販促用ディスプレー装置を提供して、上記従来の課題を解決しようとするものである。
【０００６】
また、上記の販促用ディスプレー装置において、前記前面枠体は被陳列物を抱持部へ設置するための開口部を具え、前記抱持部はその下端が前記前面枠体の下端に連続し上端は後面背板の上端近傍に係止されて両側は開口されている凹部により構成し、後面背板の上端は前面枠体の上端に連結されている構成を具備することがある。
【０００７】
さらに、段落０００６記載の販促用ディスプレー装置において、前面枠体の開口部は上端部を前面枠体に接続したまま切り抜き形成され、この切り抜き部分により後面背板を構成するように構成することがある。
【０００８】
さらにまた、段落０００７の販促用ディスプレー装置において、前記切抜き部分は抱持部の上部に形成したスリットに挿入固定した構成となすことがある。
【０００９】
そして、段落０００５ないし０００８いずれか記載の販促用ディスプレー装置において、前面枠体および抱持部は横方向に一体に連結形成する構成となすことがある。
【考案の効果】
【００１０】
本願考案に係る販促用ディスプレー装置は、銀行、書店その他種々の店舗などでパンフレット、リーフレット類をさまざまな制約を受けがちな店舗空間に対応して効率的かつ良好な訴求力をもって効果的に展示でき、製造コストも低廉である。  
【考案を実施するための最良の形態】
【００１１】
販促用ディスプレー装置は、全体を樹脂又は紙などの長手状の平板に折曲線、切り込み線を設定して接着剤などの固定手段を使わずに、その形態を折り曲げ、切り込み線への所要部分の挿入固定により設定することが望ましい。  すなわち、平板状のものを所定部分で折り曲げ、挿入差込みなどの作業により簡単に組み立てて販促用ディスプレー装置を完成できるから輸送、集積コストの低減や使用後の分解により簡単に平板状に復することができて良好な使い勝手を実現できる。
【実施例】
【００１２】
次に、図面により本願考案の実施例を説明する。  図１は、本願に係る販促用ディスプレー装置を組み立てるための組み立て用基板の一実施例を示す平面図である。
図において、Ｐは透明PET樹脂からなる平板長方形状の組み立て用基板であり、原前面枠体部１、原抱持部２、原後面背板３を有している。これらの原前面枠体部１、原抱持部２、原後面背板３は組み立て後に、後述のように面枠体部、抱持部、後面背板をそれぞれ構成することになる。
【００１３】
さらに、図１において、１aは原後面背板３の形状をなす方形状の切り込み線で、原後面背板３の下端と両端をなすように形成されていて、上端の折曲線１ｂに沿って折り曲げることにより原後面背板３を原前面枠体部１から押し出し形成することができる。折曲線１ｂはプレスにより押圧薄部が点線状に形成されていて折り曲げが容易になっている。
【００１４】
長方形状の原抱持部２は、折曲線２ｂ部分で原前面枠体部１とつながっており、端部には差し込みスリット２aが形成されていて、組み立て時に原後面背板３を挿入できるような寸法に形成されている。  折曲線２ｂの構成作用は前記折曲線１ｂと同様である。  なお、図において３aは原後面背板３の上方に穿設された壁掛け用の掛け穴、４は原前面枠体部１の上部に前記折曲線１ｂに接して形成される弧状の切り込み線であり、組み立てに際して原抱持部２の前記スリット２aを係止するようになっている。
【００１５】
図２は、図１に示す組み立て用基板Ｐから販促用ディスプレー装置Ｍを組み立てる手順の１過程を示す斜視図である。  先ず、図１において折曲線２ｂに沿って山折りし、また図１において、原後面背板３を方形状の切り込み線１aに沿って押し出すと共に折曲線１ｂに沿って緩やかに山折して、図２に示すように原前面枠体部１に開口部３ｂを形成する。
【００１６】
次いで、原後面背板３の端部を原抱持部２におけるスリット２aに一杯に挿し込むことにより、図３に示すような販促用ディスプレー装置Ｍが完成する。  この販促用ディスプレー装置Ｍは、図３に示すようにプラスチックの板材を折曲して前面枠体１１、抱持部２１、後面背板３１が一体に形成されている。
【００１７】
そして、前記前面枠体１１にはパンフレット等の被陳列物を抱持部２１へ設置するための開口部３ｂが形成されていて、前記抱持部２１はその下端が前記前面枠体１１の下端に連続し上端は後面背板３１の上端近傍において弧状切り込み線４において係止されて、両側は開口されている湾曲状の凹部を具えて構成されることになる。  そして、後面背板３１の上端は前記のように抱持部２のスリット２aに挿入され前面枠体１とその上端において連結されている。
【００１８】
すなわち、図３に示す販促用ディスプレー装置Ｍにおいて、前面枠体１１の開口部３ｂは上端部を前面枠体１に接続したまま切り抜き形成され、この切り抜き部分により後面背板３１が形成されている。  このようにして、前記切抜き部分は抱持部２１の上部に形成したスリット２aに挿入固定した構成を有することになる。
【００１９】
なお、前述の実施例に係る販促用ディスプレー装置Ｍでは前面枠体１１および抱持部２１は販促用ディスプレー装置Ｍ１個につき各一個であるが、使用目的に応じて、前面枠体１および抱持部２は横方向に一体に連結形成し、それぞれ複数個有するように構成することもある。  また、上述の実施例では透明の樹脂材で形成してあるが、不透明のもので形成することはもちろん、紙材で形成することも可能である。
【００２０】
図４は、前述の実施例に係る販促用ディスプレー装置Ｍによる小冊子の陳列状況を示す斜視図である。  図示のように、前面枠体１１の開口部３ｂを利用して、抱持部２１における湾曲状の凹部に小冊子を展示している。  小冊子のみでなくパンフレット、リーフレット類も同様に展示できる。  販促用ディスプレー装置Ｍは、例えば書店などでは、書籍の陳列棚にみられるようなガラス区画棚や針金による区画棚に後面背板３１を係止するようにして設置してもよい。  また、所定の場所に載置してよく、あるいは後面背板３１に設けた掛け穴３aにより壁面に掛止するようにしてもよい。
【００２１】
本願発明に係る販促用ディスプレー装置Ｍおいて、プラスチック、紙その他の板材を折曲して前面枠体、抱持部、後面背板を一体に形成してなるとの意味は、一枚板の折り曲げによる構成のみを指向するのでなく、板材を適宜に連接固定して形成されるものを包含するものであることは言うまでもない。
【図面の簡単な説明】
【００２２】
【図１】本願に係る販促用ディスプレー装置を組み立てるための組み立て用基板の一実施例を示す平面図である。
【図２】図１に示す組み立て用基板Ｐから販促用ディスプレー装置Ｍを組み立てる手順の１過程を示す斜視図である。
【図３】販促用ディスプレー装置Ｍの完成斜視図である。
【図４】販促用ディスプレー装置Ｍの使用状態を示す斜視図である。
【符号の説明】
【００２３】
Ｍ．．．．．．販促用ディスプレー装置
Ｐ．．．．．．平板長方形状の組み立て用基板
１．．．．．．．原前面枠体部
（組み立て前の枠体部）
１a．．．．．．切り込み線
１ｂ．．．．．．折曲線
２．．．．．．．原抱持部
（組み立て前の抱持部）
２ａ．．．．．．スリット
２ｂ．．．．．．折曲線
３．．．．．．．原後面背板
（組み立て前の後面背板）
３a．．．．．．掛け穴
３ｂ．．．．．．開口部
４．．．．．．．弧状切り込み線
１１．．．．．．前面枠体部
２１．．．．．．抱持部
３１．．．．．．後面背板
【図１】
0003164745.tif 000003
【図２】
0003164745.tif 000004
【図３】
0003164745.tif 000005
【図４】
0003164745.tif 000006